(57)【要約】      （修正有）【課題】外部からオブジェを視認でき、ユーザの趣味ないし嗜好に適応する飲料容器を提供する。【解決手段】透明のボトル本体の飲み口部をキャップ体により開閉自在に施蓋して成る飲料容器において、ボトル本体２の底部から内部に向けて透明のカプセル７を装着し、カプセルの内部にはオブジェが内装されており、ボトル本体の下向きスリーブ部１１に対して、不透明に形成された底部材１０の周壁部１６を外嵌すると共にパッキン２２を介して着脱自在に螺着し、スリーブ部と底部材の相互に対面状態で近接する挟持部を設け、カプセルの下端外周に設けたフランジ２０を挟持部により挟着するように構成している。【選択図】図３
0003220100.tif 000002
【実用新案登録請求の範囲】
【請求項１】
透明のボトル本体の飲み口部をキャップ体により開閉自在に施蓋して成る飲料容器において、
前記ボトル本体(2)の底部から内部に向けて透明のカプセル(7)を装着しており、該カプセルの内部にはオブジェ(8)が内装されて成ることを特徴とする飲料容器。
【請求項２】
カプセル(7)の外径(D1)がボトル本体(2)の内径(D2)よりも小さく形成されており、ボトル本体の内部には、前記カプセルの外周域を含んで飲み口部に至る空間領域により飲料貯留室(9)が形成されて成ることを特徴とする請求項１に記載の飲料容器。
【請求項３】
ボトル本体(2)の底部は、ボトル本体とは別体の底部材(10)により構成され、
ボトル本体の胴部から下向きに延設されたスリーブ部(11)に対して、前記底部材(10)の周壁部(16)を外嵌すると共に、相互に螺糸(14a,14b)を介して着脱自在に螺着し、該スリーブ部(11)と底部材(10)の相互に前記螺糸を螺進させたとき対面状態で近接する挟持部(24a,24b)を設けており、
前記カプセル(7)は、オブジェ(8)を内装する透明のドーム部材(17)の下端開口部(18)を閉塞部材(19)により密閉すると共に、該カプセル(7)の下端外周にフランジ(20)を設けており、該フランジ(20)を前記挟持部(24a,24b)により挟着されて成ることを特徴とする請求項１又は２に記載の飲料容器。
【請求項４】
前記底部材(10)は、不透明材料により形成されて成ることを特徴とする請求項３に記載の飲料容器。
【考案の詳細な説明】
【技術分野】
【０００１】
本考案は、飲料容器に関し、特に、透明とされたボトル本体の内部にオブジェを内装した透明のカプセルを装着した構成とすることにより、ユーザが外部からオブジェを視認しながら楽しく使用することができるようにした飲料容器に関する。
【背景技術】
【０００２】
従来、貯留した飲料を飲用するという実用面だけでなく、ユーザの趣味ないし嗜好に適応できるように構成した飲料容器の提供が望まれている。
【先行技術文献】
【特許文献】
【０００３】
【特許文献１】実用新案登録第３１１５１４２号公報
【考案の概要】
【考案が解決しようとする課題】
【０００４】
ユーザの趣味ないし嗜好に適応する飲料容器として、透明とされたボトル本体の内部にオブジェを内装した透明のカプセルを装着した構成とすれば、ユーザが外部からオブジェを視認しながら楽しく使用することができるので好ましい。
【０００５】
しかしながら、その具体的構成を実現するためには、飲料容器の構造や、製造方法や、その他の多くの観点から、解決すべき課題がある。
【０００６】
本考案は、製造容易であり、しかも、構造上、オブジェを内装したカプセルをボトル本体に好適に組付け可能とした飲料容器の提供を課題としている。
【課題を解決するための手段】
【０００７】
そこで、上記課題を解決するために本考案が手段として構成したところは、透明のボトル本体の飲み口部をキャップ体により開閉自在に施蓋して成る飲料容器において、
前記ボトル本体の底部から内部に向けて透明のカプセルを装着しており、該カプセルの内部にはオブジェが内装されて成る点にある。
【０００８】
好ましい実施形態は、カプセルの外径がボトル本体の内径よりも小さく形成されており、ボトル本体の内部には、前記カプセルの外周域を含んで飲み口部に至る空間領域により飲料貯留室が形成されている。
【０００９】
ボトル本体の底部は、ボトル本体とは別体の底部材により構成されていることが好ましく、ボトル本体の胴部から下向きに延設されたスリーブ部に対して、前記底部材の周壁部を外嵌すると共に、相互に螺糸を介して着脱自在に螺着し、該スリーブ部と底部材の相互に前記螺糸を螺進させたとき対面状態で近接する挟持部を設けており、前記カプセルは、オブジェを内装する透明のドーム部材の下端開口部を閉塞部材により密閉すると共に、該カプセルの下端外周にフランジを設けており、該フランジを前記挟持部により挟着されるように構成するのが良い。尚、前記底部材は、不透明材料により形成することが好ましい。
【考案の効果】
【００１０】
本考案によれば、飲料容器１は、ボトル本体２の外部から内部のカプセル７とオブジェ８を視認することができ、ユーザを楽しませることができる。
【００１１】
オブジェ８を内装したカプセル７は、不透明とされた底部材１０の底壁部１５からボトル本体２の胴部に向けて起立することにより立体感を呈し、その反面、該カプセル７の土台部分を底部材１０の周壁部１６で囲むことにより視認し難く構成しており、これにより審美感を向上させることが可能になる。
【００１２】
しかも、飲料容器１の洗浄に際しては、螺糸１４ａ、１４ｂを介して底部材１０をボトル本体２から取外せば、同時に、カプセル７及びパッキン２２が分解されるので、それぞれを水洗い等により好適に洗浄することができ、その後は、再び簡単容易に組付けることができるので、取扱いの容易性が頗る優れている。
【図面の簡単な説明】
【００１３】
【図１】本考案の１実施形態に係る飲料容器の斜視図である。
【図２】本考案の１実施形態に係る飲料容器の断面図である。
【図３】飲料容器の構成部材を分解した状態で示す斜視図である。
【図４】飲料容器の構成部材を分解した状態で示す断面図である。
【図５】カプセルの組立方法を示しており、（Ａ）はドーム部材の下端開口部からオブジェを装入した状態を示す断面図、（Ｂ）はドーム部材の下端開口部を閉塞部材で密閉した状態を示す断面図である。
【図６】ボトル本体とカプセルと底部材の組付方法を示しており、（Ａ）組付前の状態を示す断面図、（Ｂ）は組付後の状態を示す断面図、（Ｃ）は組付後のＣ部の拡大図である。
【考案を実施するための形態】
【００１４】
以下図面に基づいて本考案の好ましい実施形態を詳述する。
【００１５】
図示のように、飲料容器１は、プラスチック製とされた透明のボトル本体２の上端部に飲み口部３を備えており、該飲み口部３をプラスチック製のキャップ体４により開閉自在に施蓋している。キャップ体４は、飲み口部３に対して、螺糸５を介して着脱自在に螺着される。尚、図例の場合、飲み口部３には、整流板部材６が内装されている。
【００１６】
ボトル本体２の底部から内部に向けて、プラスチック製とされた透明のカプセル７が装着されており、カプセル７の内部にはオブジェ８が内装されている。
【００１７】
オブジェ８は、ユーザの趣味ないし嗜好に適応するものであれば特に限定されない。例えば、バラ等の花や、人気キャラクター等のフィギュアや、その他の立体的装飾体等が好ましい。
【００１８】
図２に示すように、カプセル７は、ボトル本体２の底部から胴部の中途部まで突出する高さを有するように形成されると共に、カプセル７の外径Ｄ１をボトル本体２の内径Ｄ２よりも小さく形成されることにより、ボトル本体２の内部に、カプセル７の外周域を含んで飲み口部３に至る空間領域による飲料貯留室９が形成される。
【００１９】
ボトル本体２の底部は、該ボトル本体とは別体のプラスチック製とされた底部材１０により構成されており、該底部材１０は、不透明材料、例えば、顔料等で着色されたプラスチック材料により成形されている。
【００２０】
底部材１０を装着させるため、ボトル本体２は、胴部から小径とされたスリーブ部１１を下向きに延設し、該スリーブ部１１の下端に内向きフランジ１２により囲まれた下端開口部１３を開設しており、スリーブ部１１の外周に雄ネジとなる螺糸１４ａを形成している。
【００２１】
これに対して、底部材１０は、底壁部１５と周壁部１６を備えたカップ形状とされ、周壁部１６の内周に雌ネジとなる螺糸１４ｂを形成しており、周壁部１６を前記スリーブ部１１に外嵌すると共に、相互に螺糸１４ａ、１４ｂを介して着脱自在に螺着するように構成されている。
【００２２】
図５に示すように、カプセル７は、オブジェ８を内装するためのプラスチック製とされた透明のドーム部材１７と、該ドーム部材１７の下端開口部１８を密閉する閉塞部材１９により構成されており、該カプセル７の下端外周にフランジ２０を設けている。図示実施形態の場合、フランジ２０は、ドーム部材１７の下端に一体成形されているが、閉塞部材１９から延設しても良い。
【００２３】
図５（Ａ）に示すようにドーム部材１７の内部に下端開口部１８からオブジェ８を装入した後、図５（Ｂ）に示すように下端開口部１８を閉塞部材１９で閉塞すると共に、超音波又は高周波により溶着することにより密閉する。この際、図示のように、閉塞部材１９にドーム部材１７の内部に臨む係止手段２１を設け、オブジェ８の一部を係止手段２１に係止固定するように構成することができる。
【００２４】
そこで、図６に示すように、オブジェ８を内装したカプセル７は、ボトル本体２に対して、底部材１０と共に組付けられる。その際、図示のようなリング状のパッキン２２が使用される。
【００２５】
図６（Ａ）に示すように、シリコンゴム等の弾性材から成るパッキン２２は、カプセル７のフランジ２０の上に重ねられる。この際、パッキン２２とフランジ２０の重合面に相互に嵌合する凹凸条２３を設けることが好ましい。
【００２６】
カプセル７のフランジ２０を底部材１０の底壁部１５に載置すると共に周壁部１６に内嵌させ、該フランジ２０の上にパッキン２２を重ねた状態で、底部材１０をスリーブ部１１に外嵌させると共に螺着することにより、スリーブ部１１とカプセル７と底部材１０の３者が組付けられる。
【００２７】
図６（Ｂ）（Ｃ）に示すように、スリーブ部１１に対して底部材１０を螺合し、螺糸１４ａ、１４ｂを螺進させたとき、ボトル本体２の内向きフランジ１２と底部材１０の底壁部１５が相互に対面状態で近接する挟持部２４ａ、２４ｂを構成し、その間に前記フランジ２０及びパッキン２２を挟着する。従って、ボトル本体２に貯留させた飲料液が螺糸１４ａ、１４ｂの螺着部を通じて漏出することはない。
【００２８】
底部材１０を介してカプセル７をボトル本体２に組付けた飲料容器１は、外部から内部のカプセル７とオブジェ８を視認することができ、ユーザを楽しませることができる。
【００２９】
ボトル本体２の底部は、不透明の底部材１０により構成されており、底部材１０の底壁部１５からボトル本体２の胴部に向けてカプセル７が起立することにより、立体感を醸し出している。その反面において、該カプセル７のパッキン２２を含む土台部分は、底部材１０の不透明な周壁部１６で囲むことにより視認し難く構成されており、審美感を向上させる。
【００３０】
そして、ユーザが飲料容器１を洗浄するときは、螺糸１４ａ、１４ｂを介して底部材１０をボトル本体２から取外せば、同時に、カプセル７及びパッキン２２が分解されるので、それぞれを水洗い等により好適に洗浄することが可能であり、その後は、再び簡単容易に組付けることができる。
【符号の説明】
【００３１】
１  飲料容器
２  ボトル本体
３  飲み口部
４  キャップ体
５  螺糸
６  整流板部材
７  カプセル
８  オブジェ
９  飲料貯留室
１０  底部材
１１  スリーブ部
１２  内向きフランジ
１３  下端開口部
１４ａ、１４ｂ  螺糸
１５  底壁部
１６  周壁部
１７  ドーム部材
１８  下端開口部
１９  閉塞部材
２０  フランジ
２１  係止手段
２２  パッキン
２３  凹凸条
２４ａ、２４ｂ  挟持部
【図１】
0003220100.tif 000003
【図２】
0003220100.tif 000004
【図３】
0003220100.tif 000005
【図４】
0003220100.tif 000006
【図５】
0003220100.tif 000007
【図６】
0003220100.tif 000008